【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
所定の遊技媒体を用いて遊技を行うことが可能な遊技機に対応して設けられ、該遊技媒体が適正であるか否かを判定する適正判定手段と、該適正判定手段により適正ではないと判定された遊技媒体を貯留する貯留部と、を備える遊技用装置であって、
前記貯留部に貯留された遊技媒体の貯留量が該遊技媒体の回収を促す第１貯留量に達したか否かを判定する第１判定手段と、
前記第１判定手段が該第１貯留量に達したと判定したときに該第１貯留量に達した旨を報知する第１報知手段と、
前記貯留部に貯留された遊技媒体の貯留量が前記第１貯留量よりも少ない所定の第２貯留量に達しているか否かを判定する第２判定手段と、
遊技場の営業終了に際して、当該遊技用装置を管理する管理装置から出力された所定の信号を受信し、前記第２判定手段により該第２貯留量に達していると判定されていることを条件に、該第２貯留量に達している旨を報知する第２報知手段と、
を備える、
ことを特徴とする遊技用装置。
【請求項２】
所定の遊技媒体を用いて遊技を行うことが可能な遊技機に対応して設けられ、該遊技媒体が適正であるか否かを判定する適正判定手段と、該適正判定手段により適正ではないと判定された遊技媒体を貯留する貯留部と、を備える複数の遊技用装置と、
各遊技用装置とデータ通信可能に接続され、各遊技用装置に対して遊技場の営業終了に際して所定の信号を送信する管理装置と、
を含む遊技用システムであって、
前記貯留部に貯留された遊技媒体の貯留量が該遊技媒体の回収を促す第１貯留量に達したか否かを判定する第１判定手段と、
前記第１判定手段が該第１貯留量に達したと判定したときに該第１貯留量に達した旨を報知する第１報知手段と、
前記貯留部に貯留された遊技媒体の貯留量が前記第１貯留量よりも少ない所定の第２貯留量に達しているか否かを判定する第２判定手段と、
遊技場の営業終了に際して、前記管理装置から出力された所定の信号を受信し、前記第２判定手段により該第２貯留量に達していると判定されていることを条件に、該第２貯留量に達している旨を報知する第２報知手段と、
を備える、
ことを特徴とする遊技用システム。
【手続補正２】
【補正対象書類名】明細書
【補正対象項目名】０００６
【補正方法】変更
【補正の内容】
【０００６】
前記課題を解決するために、本発明の請求項１の遊技用装置は、
所定の遊技媒体（例えば、メダルなど）を用いて遊技を行うことが可能な遊技機（例えば、スロットマシン１）に対応して設けられ、該遊技媒体が適正であるか否かを判定する適正判定手段（計数装置１９０のコントローラ１９０ａ）と、該適正判定手段により適正ではないと判定された遊技媒体を貯留する貯留部（メダル貯留ボックス１９４）と、を備える遊技用装置（メダル貸出機１００）であって、
前記貯留部に貯留された遊技媒体の貯留量が該遊技媒体の回収を促す第１貯留量に達したか否かを判定する第１判定手段（例えば、図２５のメダル貯留処理のＳｅ７において、制御ユニット１８１は、メダル情報（図１２（ｃ）参照）の総メダル貯留数が第１閾値（満タン）であるか否かを判定する部分）と、
前記第１判定手段が該第１貯留量に達したと判定したときに該第１貯留量に達した旨を報知する第１報知手段（例えば、図２５のメダル貯留処理のＳｅ９において、制御ユニット１８１は、状態報知ランプ１１１を点灯する部分）と、
前記貯留部に貯留された遊技媒体の貯留量が前記第１貯留量よりも少ない所定の第２貯留量に達しているか否かを判定する第２判定手段（例えば、図２６の締め関連処理のＳｆ２において、制御ユニット１８１は、メダル情報（図１２（ｃ）参照）の総メダル貯留数が所定枚数（第２閾値）以上であるか否かを判定する部分）と、
遊技場の営業終了に際して、当該遊技用装置を管理する管理装置から出力された所定の信号を受信し、前記第２判定手段により該第２貯留量に達していると判定されていることを条件に、該第２貯留量に達している旨を報知する第２報知手段（例えば、図２６の締め関連処理のＳｆ３において、制御ユニット１８１は、状態報知ランプ１１１を点灯するとともに、メダル管理コンピュータ５５０に対してメダル貯留ボックス１９４の不正メダルの貯留数が所定枚数（第２閾値）以上となっている旨を知らせる通知を送信する部分）と、
を備える、
ことを特徴としている。
この特徴によれば、適正ではない遊技媒体が第１貯留量に達したときにはその旨が報知されることで、貯留部から遊技媒体を回収することができるとともに、少なくとも遊技場の営業終了時において、第２貯留量に達しているときにはその旨が報知されることで、第１貯留量に達する前の段階で不適正な遊技媒体を回収することができるばかりか、貯留に未だ余裕がある貯留部から遊技媒体を回収せずに済むので、回収の作業効率が向上される。
【手続補正３】
【補正対象書類名】明細書
【補正対象項目名】０００７
【補正方法】変更
【補正の内容】
【０００７】
本発明の請求項２の遊技用システムは、
所定の遊技媒体（例えば、メダルなど）を用いて遊技を行うことが可能な遊技機（例えば、スロットマシン１）に対応して設けられ、該遊技媒体が適正であるか否かを判定する適正判定手段（計数装置１９０のコントローラ１９０ａ）と、該適正判定手段により適正ではないと判定された遊技媒体を貯留する貯留部（メダル貯留ボックス１９４）と、を備える複数の遊技用装置（メダル貸出機１００）と、
各遊技用装置とデータ通信可能に接続され、各遊技用装置に対して遊技場の営業終了に際して所定の信号を送信する管理装置（メダル管理コンピュータ５５０）と、
を含む遊技用システムであって、
前記貯留部に貯留された遊技媒体の貯留量が該遊技媒体の回収を促す第１貯留量に達したか否かを判定する第１判定手段（例えば、図２５のメダル貯留処理のＳｅ７において、制御ユニット１８１は、メダル情報（図１２（ｃ）参照）の総メダル貯留数が第１閾値（満タン）であるか否かを判定する部分）と、
前記第１判定手段が該第１貯留量に達したと判定したときに該第１貯留量に達した旨を報知する第１報知手段（例えば、図２５のメダル貯留処理のＳｅ９において、制御ユニット１８１は、状態報知ランプ１１１を点灯する部分）と、
前記貯留部に貯留された遊技媒体の貯留量が前記第１貯留量よりも少ない所定の第２貯留量に達しているか否かを判定する第２判定手段（例えば、図２６の締め関連処理のＳｆ２において、制御ユニット１８１は、メダル情報（図１２（ｃ）参照）の総メダル貯留数が所定枚数（第２閾値）以上であるか否かを判定する部分）と、
遊技場の営業終了に際して、前記管理装置から出力された所定の信号を受信し、前記第２判定手段により該第２貯留量に達していると判定されていることを条件に、該第２貯留量に達している旨を報知する第２報知手段（例えば、図２６の締め関連処理のＳｆ３において、制御ユニット１８１は、状態報知ランプ１１１を点灯する部分）と、
を備える、
ことを特徴としている。
この特徴によれば、適正ではない遊技媒体が第１貯留量に達したときにはその旨が報知されることで、貯留部から遊技媒体を回収することができるとともに、少なくとも遊技場の営業終了時において、第２貯留量に達しているときにはその旨が報知されることで、第１貯留量に達する前の段階で不適正な遊技媒体を回収することができるばかりか、貯留に未だ余裕がある貯留部から遊技媒体を回収せずに済むので、回収の作業効率が向上される。